(57)【要約】【課題】交換用当て布を移動しないように保持することができるとともに交換用当て布の交換を容易に行えるようにしたマスクを提供する。【解決手段】通気性を有する布材からなるマスク本体１０と、マスク本体１０の両端部に取り付けられた耳掛け用紐体２０ａ，２０ｂとからなり、耳掛け用紐体２０ａ，２０ｂを耳に引っ掛けることにより使用者の顔面に装着されて、使用者の口や鼻から空気中の有害物質が侵入するのを防止するマスクにおいて、マスク本体１０の裏面の左右両端寄りに布材により使用者の口や鼻の幅以上の間隔を空けて右端縁が開放する左ポケット１４ａおよび左端縁が開放する右ポケット１４ｂを形成し、左ポケット１４ａおよび右ポケット１４ｂに交換用当て布３０の左右両端部を挿入して交換用当て布３０を保持できるようにした。【選択図】図１
0003147687.tif 000002
【実用新案登録請求の範囲】
【請求項１】
通気性を有する布材からなるマスク本体と、該マスク本体の両端部に取り付けられた耳掛け用紐体とからなり、該耳掛け用紐体を耳に引っ掛けることにより使用者の顔面に装着されて、使用者の口や鼻から空気中の有害物質が侵入するのを防止するマスクにおいて、
前記マスク本体の裏面の左右両端寄りに布材により使用者の口や鼻の幅以上の間隔を空けて右端縁が開放する左ポケットおよび左端縁が開放する右ポケットを形成し、該左ポケットおよび右ポケットに交換用当て布の左右両端部を挿入して前記交換用当て布を保持できるようにしたことを特徴とするマスク。
【考案の詳細な説明】
【技術分野】
【０００１】
本考案はマスクに関し、特に使用者の顔面に装着されて、使用者の口や鼻から空気中の有害物質が侵入するのを防止する防塵・防菌用のマスクに関する。
【背景技術】
【０００２】
従来、この種のマスクは、使用者の口や鼻から、塵埃，病原体等の有害物質が侵入するのを防止するためのものであり、自転車，自動二輪車等の乗車時の防塵用のマスクや風邪や花粉症等の防菌用のマスクとして広く使用されている（例えば、特許文献１参照）。
【０００３】
従来のマスクは、ガーゼ等の通気性を有する布材を重ね折りしたマスク本体と、これを顔面に装着するための耳掛け用紐体とから主要部が構成されており、使用者の口や鼻とマスク本体との間にガーゼを単に当て布として当てたり、マスク本体の重ね折りされた布材の間にガーゼを挿入したりして汚れを防止するようにしていた。
【特許文献１】実開平６−３６６５３号公報
【考案の開示】
【考案が解決しようとする課題】
【０００４】
しかし、上述した従来のマスクは、口や鼻とマスク本体との間にガーゼを単に当て布として当てる場合には、ガーゼがずれ落ちたり、横に移動したりして位置が固定できず、使いづらいという問題点があった。
【０００５】
また、従来のマスクは、マスク本体の重ね折りされた布材の間にガーゼを挿入する場合には、マスク本体の重ね折りされた布材の間を広げて薄いガーゼを折れ曲がらないように丁寧かつ慎重に挿入しなければならず、ガーゼの交換が面倒であるという問題点があった。
【０００６】
本考案の目的は、上述の点に鑑み、交換用当て布を移動しないように保持することができるとともに交換用当て布の交換を容易に行えるようにしたマスクを提供することにある。
【課題を解決するための手段】
【０００７】
本考案に係るマスクは、通気性を有する布材からなるマスク本体と、該マスク本体の両端部に取り付けられた耳掛け用紐体とからなり、該耳掛け用紐体を耳に引っ掛けることにより使用者の顔面に装着されて、使用者の口や鼻から空気中の有害物質が侵入するのを防止するマスクにおいて、前記マスク本体の裏面の左右両端寄りに布材により使用者の口や鼻の幅以上の間隔を空けて右端縁が開放する左ポケットおよび左端縁が開放する右ポケットを形成し、該左ポケットおよび右ポケットに前記交換用当て布の左右両端部を挿入して交換用当て布を保持できるようにしたことを特徴とする。
【考案の効果】
【０００８】
かかる目的を達成するためになされた本考案に係るマスクは、マスク本体の裏面の左右両端寄りに布材により使用者の口や鼻の幅以上の間隔を空けて右端縁が開放する左ポケットおよび左端縁が開放する右ポケットを形成し、該左ポケットおよび右ポケットに交換用当て布の左右両端部を挿入して保持できるようにしたことにより、交換用当て布を移動しないように保持することができるとともに交換用当て布の交換を容易に行うことができる。
【考案を実施するための最良の形態】
【０００９】
交換用当て布を移動しないように保持することができるとともに交換用当て布の交換を容易に行えるようにしたマスクを提供するという目的を、マスク本体の裏面の左右両端寄りに布材により使用者の口や鼻の幅以上の間隔を空けて右端縁が開放する左ポケットおよび左端縁が開放する右ポケットを形成し、左ポケットおよび右ポケットに交換用当て布の左右両端部を挿入して保持できるようにしたことにより実現した。
【実施例】
【００１０】
以下、本考案の実施例を図面を用いて詳細に説明する。
【００１１】
図１は、本考案の実施例に係るマスクの裏面図である。本実施例に係るマスクは、上縁および下縁が若干膨出した長方形に形成されていて、通気性を有する布材からなるマスク本体１０と、マスク本体１０の裏面の左右両端部に取り付けられた一対の耳掛け用紐体２０ａ，２０ｂと、交換用当て布３０とから、その主要部が構成されている。
【００１２】
マスク本体１０は、図２（ａ），（ｂ）に示すように、綿布，ポリエステルガーゼ等の布材でなる表面布材（表地）１１と、不織布等でなるフィルター１２と、綿布，ポリエステルガーゼ等でなる裏面布材（裏地）１３と、綿布，ポリエステルガーゼ等の布材でなる左ポケット１４ａおよび右ポケット１４ｂとが、縁を重ねて縫製されて構成されている。左ポケット１４ａおよび右ポケット１４ｂは、使用者の口や鼻の幅以上の間隔を空けてマスク本体１０の左右両端部に形成されており、左ポケット１４ａは右端縁が開放され、右ポケット１４ｂは左端縁が開放されている。なお、表面布材１１の表面には、カラフルな模様を染色する，刺繍する等の各種加工を施すようにしてもよい（図４参照）。
【００１３】
耳掛け用紐体２０ａ，２０ｂは、それぞれ１本のナイロンゴム等で伸縮自在に形成されていて、マスク本体１０の左右両端部を裏面側に折り返して縫製することにより形成された紐通し部１５ａ，１５ｂ（図３（ｂ）参照）に挿し通されてマスク本体１０に着脱可能に取り付けられている。耳掛け用紐体２０ａ，２０ｂは、使用者の顔のサイズに合わせて両開放端を結ぶことによって使用者の耳に掛けられて、図４に示すように、マスク本体１０が顔面に装着されるようになっている。なお、耳掛け用紐体２０ａ，２０ｂが十分な伸縮性を有する場合には、それらの両開放端を工場出荷時に標準的な使用者の顔のサイズに合わせて予め結んでおくようにしてもよい。
【００１４】
交換用当て布３０は、ガーゼ，不織布等の布材でなり、図３（ａ），（ｂ）に示すように、左右両端部を左ポケット１４ａおよび右ポケット１４ｂに挿入されることにより、マスク本体１０の裏面に保持される。これにより、使用者がマスクを装着した場合には、使用者の口や鼻には、マスク本体１０の裏面布材１３が直接当たらず、交換用当て布３０が当たるようになる。
【００１５】
このように構成された本実施例に係るマスクにおいては、マスク本体１０の裏面の左右両端部に使用者の口や鼻の幅以上の間隔を空けて左ポケット１４ａおよび右ポケット１４ｂが形成され、左ポケット１４ａおよび右ポケット１４ｂに交換用当て布３０の左右両端部が挿入されて交換用当て布３０がマスク本体１０に保持されている。このため、使用者がマスクを顔面に装着すれば、使用者の口や鼻は交換用当て布３０に当接することになり、空気が表面布材１１，フィルター１２，裏面布材１３および交換用当て布３０を通じて使用者の体内に吸入され、使用者の口や鼻から空気中の塵埃，病原体等の有害物質が侵入するのを防止することができる。また、交換用当て布３０が両端部で左ポケット１４ａおよび右ポケット１４ｂに挿入されているので、交換用当て布３０がマスク本体１０から容易にずれ落ちたり、横に移動したりすることがない。
【００１６】
さらに、長時間の使用によって交換用当て布３０が汚れた場合でも、使用者の口や鼻の幅以上の間隔を空けて形成された左ポケット１４ａおよび右ポケット１４ｂ内から交換用当て布３０の左右両端部を簡単に取り外すことができるとともに、新たな交換用当て布３０を容易に交換することができる。
【００１７】
以上説明したように、本考案によれば、交換用当て布を移動しないように保持することができるとともに交換用当て布の交換を容易に行えるようにしたことにより、本考案のマスクを繰り返し使用することができるので、マスクの有効利用を図ることができる。
【産業上の利用可能性】
【００１８】
交換用当て布を移動しないように保持することができるとともに交換用当て布の交換を容易に行えるようにしたので、自転車，自動二輪車等の乗車時の防塵用のマスクや風邪や花粉症等の防菌用のマスクとして広く普及することが可能である。
【図面の簡単な説明】
【００１９】
【図１】本考案の実施例に係るマスクの裏面図。
【図２】（ａ），（ｂ）は本実施例に係るマスクの断面模式図。
【図３】（ａ），（ｂ）は本実施例に係るマスク本体に交換用当て布を取り付ける手順を説明する裏面図および上面図。
【図４】本実施例に係るマスクを使用者の顔面に装着した状態を示す斜視図。
【符号の説明】
【００２０】
１０  マスク本体
１１  表面布材
１２  フィルター
１３  裏面布材
１４ａ  左ポケット
１４ｂ  右ポケット
１５ａ，１５ｂ  紐通し部
２０ａ，２０ｂ  耳掛け用紐体
３０  交換用当て布
【図１】
0003147687.tif 000003
【図２】
0003147687.tif 000004
【図３】
0003147687.tif 000005
【図４】
0003147687.tif 000006